(57)【要約】【課題】肘当てを水平動させ得る肘掛け装置において、商品価値を高める。【解決手段】肘掛け装置は、肘当て本体２４とスライド補助体３７と姿勢保持体３９と押さえ部材３１とを有しており、押さえ部材４１は、ビス４３でボス体３３に回転不能に固定されている。スライド補助体３７及び姿勢保持体３９は、回転は自在で前後スライドは不能である。肘当て９の前位置の保持は、スライド補助体３７に形成した係合爪５４と、肘当て本体２４に形成した凹凸状の係合受け部５６とによって行われる。スライド補助体３７の下面に形成した保持穴５８に弾性体５７が配置されている。弾性体５７が弾性変形した状態で肘当て本体２４の底面に当接することにより、肘当て９の前後スライドに軽い抵抗が付与される。このため、肘当て９は、しっとりとした動きで前後スライドする。これにより、高級感を醸し出して商品価値を向上できる。【選択図】図９
2019042108.tif 000002
【特許請求の範囲】
【請求項１】
肘支柱の上端に設けたベースと、前記ベースに水平動自在に取付けられた肘当て本体とを有しており、
前記肘当て本体の水平動によって相対動する部材の間に、前記肘当て本体の水平動に対して抵抗を付与するゴム状の弾性体が配置されている、
肘掛け装置。
【請求項２】
前記肘当て本体は、前後方向に長い形態でかつ上向きに開口した形態であって前記ベースに前後スライド自在に取付けられており、
前記肘当て本体の内部に、前記ベースにスライド不能に取付けられたスライド補助体が、前記肘当て本体の前後スライドを許容するように配置されており、
前記スライド補助体と肘当て本体とに、前記肘当て本体の前後位置を保持するための位置保持手段を設けており、かつ、前記スライド補助体に、前記弾性体が、前記肘当て本体に当接するように取付けられている、
請求項１に記載した肘掛け装置。
【請求項３】
前記弾性体は円柱状又はボール状の形態であり、前記肘当て本体の前後スライドによって転動し得る状態で前記スライド補助体に取付けられている、
請求項２に記載した肘掛け装置。
【発明の詳細な説明】
【技術分野】
【０００１】
本願発明は、肘当てを水平動させ得る可動式の肘掛け装置に関するものである。
【背景技術】
【０００２】
可動式の肘掛け装置において、肘当ての動きとしては、前後スライドのみするタイプ、前後スライドに加えて水平旋回するタイプ、前後スライドに加えて左右スライドするタイプなど、様々なタイプがある。
【０００３】
いずれにしても、肘当ては、所望の位置や姿勢に保持する必要がある。この位置の保持や姿勢の保持には、一般に、ばねやゴム等の弾性体を使用した係合手段が使用されており、その例として特許文献１では、前後位置を保持する手段として、ゴムとピンとを利用した係合手段が開示されており、ピンが、肘当て本体に形成された保持溝に嵌まることによって、肘当てが所望の前後位置に保持されるようになっている。他方、特許文献２には、肘当ての前後スライドに対してロータリーダンパで抵抗を付与することが開示されている。
【先行技術文献】
【特許文献】
【０００４】
【特許文献１】特許第４３８３９０７号公報
【特許文献２】特許第５２４９６０４号公報
【発明の概要】
【発明が解決しようとする課題】
【０００５】
肘当てを所望の位置に保持するという機能を確保するためには、弾性体を使用した係合手段で足りるが、特許文献１のようなタイプでは、肘当ては単に弾性体を変形させて移動するに過ぎないため、肘当ての動きがぎごちなくて、高級感に劣るという欠点があった。
【０００６】
他方、特許文献２のタイプでは、肘当てのスライドに対してダンパによる抵抗が付与されるため、肘当てはしっとりした動きをして高級感を醸し出すことができると云えるが、ロータリーダンパは高価であるため、コストが嵩むという問題があった。
【０００７】
本願発明は、このような現状を改善すべく成されたものである。
【課題を解決するための手段】
【０００８】
本願発明は様々な構成を有しており、その典型を各請求項で特定している。このうち請求項１の発明では、
「肘支柱の上端に設けたベースと、前記ベースに水平動自在に取付けられた肘当て本体とを有しており、
前記肘当て本体の水平動によって相対動する部材の間に、前記肘当て本体の水平動に対して抵抗を付与するゴム状の弾性体が配置されている」
という構成になっている。
【０００９】
本願発明において、「ゴム状」とは、金属ばねや樹脂ばねのような曲がり変形するものではなくて、弾性に抗して圧縮変形するという意味であり、ゴム自体の他に、エラストマーなどの樹脂系のものも含まれる。弾性体は、肘当て本体とベースとの間に配置してもよいし、肘当て本体と固定式部材（水平動しない部材）との間に配置してもよい。従って、「相対動する部材」には肘当て本体も含まれる。
【００１０】
請求項２の発明は、請求項１において、
前記肘当て本体は、前後方向に長い形態でかつ上向きに開口した形態であって前記ベースに前後スライド自在に取付けられており、
前記肘当て本体の内部に、前記ベースにスライド不能に取付けられたスライド補助体が、前記肘当て本体の前後スライドを許容するように配置されており、
前記スライド補助体と肘当て本体とに、前記肘当て本体の前後位置を保持するための位置保持手段を設けており、かつ、前記スライド補助体に、前記弾性体が、前記肘当て本体に当接するように取付けられている。
【００１１】
請求項３の発明は請求項２を具体化したものであり、この発明では、前記弾性体は円柱状又はボール状の形態であり、前記肘当て本体の前後スライドによって転動し得る状態で前記スライド補助体に取付けられている。
【発明の効果】
【００１２】
本願発明では、弾性体の圧縮変形により、肘当ての水平動に抵抗が付与されるため、肘当てを水平動させるにおいて、いわば肘当てがベースに軽く粘り付くような状態で、しっとりとした動きとすることができる。従って、高級感を醸し出して、商品価値を高めることができる。また、肘当てのガタツキを防止することもできるのであり、この面でも、商品価値を高めることができる。また、特許文献２とは違って高価なダンパ装置は不要であるため、コストを抑制できる。
【００１３】
水平動する可動式の肘当ては、所望の位置（前後位置や左右位置）や水平姿勢に保持する必要があり、そこで係合手段を設けている。そして、本願発明においては、弾性体を係合手段の構成要素として使用することも可能であるが、請求項２では、弾性体による抵抗の付与は、係合手段とは別に設けている。
【００１４】
このように、肘当てを所望の状態に保持するための係合手段と、肘当ての動きに抵抗を付与する手段とを別々の構成とすることにより、肘当ての位置の保持を確実化しつつ、肘当ての前後動にしっとりとした動きを付与することができる。
【００１５】
請求項３の構成を採用すると、弾性体が転動することにより、肘当ての動きをスムース化できる。従って、肘当ては、適度の抵抗を付与してしっとりとした動きを確保しつつ、重すぎることなく滑らかに動かすことができる。 
【図面の簡単な説明】
【００１６】
【図１】実施形態の肘掛け装置を適用した椅子の外観を示す図で、（Ａ）は斜視図、（Ｂ）は正面図、（Ｃ）は平面図である。
【図２】（Ａ）は第１実施形態の肘掛け装置を下方から見た斜視図、（Ｂ）は固定部と可動部との分離斜視図、（Ｃ）は主として高さ調節機構を示すための分離斜視図、（Ｄ）はレバーを装着した状態での昇降肘支柱の斜視図、（Ｅ）は昇降肘支柱の上端部の斜視図、（Ｆ）はレバーと高さ調節用ロッドとの分離斜視図である。
【図３】（Ａ）は肘当てとベースと高さ調節用ロッドとの関係を示す下方からの斜視図、（Ｂ）は肘支柱の分離斜視図である。
【図４】（Ａ）は全体を上から見た分離斜視図、（Ｂ）はベースと昇降肘支柱との分離斜視図、（Ｃ）は一部の構成部材の分離斜視図である。
【図５】（Ａ）全体を下方から見た分離斜視図、（Ｂ）は一部の部材を下方から見た分離斜視図、（Ｃ）は肘当ての外観を構成する部材の分離斜視図である。
【図６】縦断側面図である。
【図７】（Ａ）は要部の分離斜視図、（Ｂ）はカバー板の斜視図である。
【図８】要部の分離斜視図、（Ｂ）は前後位置保持手段を示す平面図である。
【図９】（Ａ）は肘当ての前後位置保持手段と水平姿勢保持手段とを示すための下方からの斜視図、（Ｂ）は前後位置保持手段を示す斜視図である。
【図１０】（Ａ）は水平姿勢保持手段を示す分離斜視図、（Ｂ）は水平姿勢保持手段を示す平面図である。
【図１１】水平旋回角度規制手段を示す平面図である。
【図１２】第２実施形態を示す図で、（Ａ）（Ｂ）は分離斜視図、（Ｃ）は要部の平面図、（Ｄ）は肘当て本体とスライド補助体との分離斜視図である。
【図１３】旋回中心箇所で切断した縦断正面図である。
【図１４】第３実施形態を示す図で、（Ａ）は分離斜視図、（Ｂ）は要部平面図である。
【発明を実施するための形態】
【００１７】
(1).第１実施形態の概要
次に、本願発明の実施形態を図面に基づいて説明する。図１に示すように、本実施形態の肘掛け装置は、オフィスで多用されている回転椅子に装着している。すなわち、椅子は、座１と脚装置２と背もたれ３と後傾自在な背フレーム４とを備えており、背フレーム４に背もたれ３が取付けられている。そして、本実施形態では、肘掛け装置は、背フレーム４の前部に取り付けている。なお、脚装置は複数のキャスタを備えているが、キャスタは１つしか表示していない。
【００１８】
図２（Ａ）（Ｂ）に示すとおり、肘掛け装置は、背フレーム４に固定された下固定アーム５と、下固定アーム５の外端に一体に設けた中空の固定肘支柱６と、固定肘支柱６に高さ調節可能に嵌め入れられた可動肘支柱７とを有しており、可動肘支柱７の上端に平面視円形のベース８を固定し、ベース８に、前後長手で可動式の肘当て９が、その長手方向に移動自在でかつ水平旋回自在に取付けられている。
【００１９】
図３に明示するように、可動肘支柱７の外面には、半割り状のスリーブ１０が前後から上下動不能で装着されている。また、可動肘支柱７の内部には、シーソー式の高さ調節用ロッド１１が配置されている。ロッド１１は、中間高さ位置よりもやや下方部位に設けた左右外向きの枢支ピン１２を中心にして前後に回動するようになって、下端に係合爪１３を後ろ向きに突設しており、係合爪１３は、ばね片１４によって後ろ向きに付勢されている。
【００２０】
可動肘支柱７の内部には、ロッド１１の枢支ピン１２が下から嵌まる軸受け部（図示せず）が形成されている。係合爪１３は、可動肘支柱７の後ろ壁に形成した長穴を介して、後部のスリーブ１０に形成した係合穴１５（図３（Ｂ）参照）に係脱する。なお、スリーブ１０は前後とも同じ形態になっていて方向性を無くしている。
【００２１】
ロッド１１の上端には、レバー１６が取付けられている。図２（Ｃ）（Ｆ）のとおり、レバー１６の後端部には左右の支軸１７を突設しており、左右の支軸１７は、可動肘支柱７の上端部内に形成した軸受け部１８（図３（Ｄ）（Ｅ）参照）に、上から嵌め込まれている。従って、レバー１６は、支軸１７を中心にして上下回動し得る。図２（Ｆ）に示すように、ロッド１１の上端には左右に突出した支軸１９が形成されており、支軸１９は、レバー１６の下面部に形成したポケット式抱持部２０に後ろから嵌め入れられている。
【００２２】
椅子に着座した人がレバー１６に指先を当てて上に引くと、ロッド１１が枢支ピン１２を中心にして回動することにより、ロッド１１の下端の係合爪１３がスリーブ１０の係合穴１５から離脱する。これにより、肘当て９を高さ調節することができる。可動肘支柱７の上端部はラッパ状に広がった拡径部７ａになっており、この拡径部７ａに、レバー１６を露出させる切欠き２１が上向きに切り開き形成されている。
【００２３】
(2).肘当ての概要
次に、第１実施形態に係る肘当て９の構造を説明する。図４，５に示すように、肘当て９は、外観を構成する前後長手の部材として、肘当て本体２４と肘当て上部材２５とを有しており、肘当て上部材２５にはエラストマー等の軟質材からなるパッド材２６を装着している。肘当て本体２４は上向きに開口した形態である一方、肘当て上部材２５は外周部に下向き壁を設けた浅いトレー状の形態であり、図６に一部を示すように、両者は、係合爪２７と係合穴２８との係合によって一体に連結されている。
【００２４】
図４，５に示すように、可動肘支柱７の上端には、既述のベース８がビス３０で固定されている。この場合、ベース８の下面には、左右側部と後部とに位置した下向きの足部３１を一体に設けている一方、可動肘支柱７には、足部３１が水平方向から当接可能な受け部３２を形成している。足部３１は、一対の側片３１ａを有して底面視コ字形になっており、側片３１ａの下端部は傾斜部３１ｂになっている。なお、足部３１は、角棒状の形態などでもよい。ベース８は、例えば亜鉛ダイキャスト品であり、高い強度を有している。可動肘支柱７は、例えばアルミのダイキャスト品である。
【００２５】
ベース８の中央部に円形のボス体３３を一体に設けている一方、肘当て本体２４の底板には、ボス体３３に嵌まる長穴３４が肘当て本体２４の長手方向に長く形成されており、肘当て本体２４は、上カバー板３５と下カバー板３６とを介してリング板２９に上から重なっている。従って、肘当て本体２４は、長穴３４の全長からボス体３３の外径を除した寸法だけ長手方向に移動自在であり、かつ、ボス体３３の軸心回りに水平旋回可能である。
【００２６】
リング板２９は、肘当て本体２４のスライド及び水平旋回をスムースにするためのものであり、ＰＯＭ樹脂等の樹脂製である。リング板２９はベース８に上から重なっており、その一部に、可動肘支柱７に形成した切欠き２１に嵌まる下向き縁部２９ａを下向きに突設している。また、図６に示すように、リング板２９に設けた位置決めピン２９ｂが、ベース８に形成された位置決め穴８ａに嵌まっている。
【００２７】
肘当て本体２４は上向きに開口しており、その内部に、平面視略小判形で上向きに開口した凹所３８を有するスライド補助体３７と、スライド補助体３７の凹所３８に上から嵌め入れられた姿勢保持体３９と、姿勢保持体３９の中心穴４０に嵌め込まれた押さえ部材４１とを配置している。押さえ部材４１は、姿勢保持体３９を上から覆うフランジ４２を有しており、ビス４３によってボス体３３に固定されている。
【００２８】
この場合、図４（Ａ）のように、ボス体３３の上端に４葉形の（非円形の）の係合突起４４を一体に設けている一方、図５（Ａ）に示すように、押さえ部材４１には、係合突起４４に対して回転不能に嵌まる係合穴４５が形成されており、従って、押さえ部材４１はボス体３３に対して（或いはベース８に対して）回転不能に保持されている。
【００２９】
肘当て本体２４はスライド補助体３７が上から重なっており、スライド補助体３７には姿勢保持体３９が上から重なっており、かつ、姿勢保持体３９は押さえ部材４１のフランジ４２によって上向き動不能に保持されている。このため、肘当て９は、上向き移動不能に保持されていると共に、既述のとおり、水平旋回自在及び長手方向にスライド自在になっている。
【００３０】
スライド補助体３７は、肘当て９の（正確には肘当て本体２４の）前後移動をガイドする機能と、肘当て９を任意の前後位置に保持する機能とを有しており、また、姿勢保持体３９は、肘当て９を任意の旋回姿勢に保持する機能を有しており、更に、押さえ部材４１は、肘当て９の旋回角度を規制する機能を有している。これらは後述する。
【００３１】
(3).指挟み防止構造
既述のとおり、肘当て本体２４には、前後スライド（長手方向のスライド）を許容するための長穴３４が空いているが、例えば、図７（Ｂ）に示すように、肘当て本体２４の下面に、下向きリブ４７で囲われた下向き凹所４８を形成して、この下向き凹所４８に、既述の上カバー板３５と下カバー板３６とが、それぞれ長手方向に相対動し得るように配置されている。従って、上下カバー板３５，３６の長さは凹所４８の長さよりも短くなっており、かつ、上カバー板３５は下カバー板３６よりも短くなっている。
【００３２】
図７（Ａ）に明示するように、下カバー板３６の左右長手側縁には上向きのサイドリブ４９ａを突設しており、上カバー板３５は、左右ガイドリブ４９の間に横ずれしない状態で、かつ、長手方向に相対動し得るように配置されている。また、下カバー板３６には、上カバー板３５が載る縦長リブ４９ｂと、上カバー板３５の前後相対動位置を規制するストッパーリブ４９ｃとを形成している。他方、上カバー板３５の上面には、肘当て本体２４とのスライドをスムースにするための縦長リブ３５ａを形成している。
【００３３】
上下のカバー板３５，３６には、肘当て本体２４に対して相対動し得るように、長穴５０，５１が空いている。肘当て本体２４の下向きリブ４７は、カバー板３５，３６の左右外側においてリング板２９に上から当接している。肘当て本体２４の前後スライドに連動して、上下のカバー板３５，３６がタイミングを変えて移動することにより、肘当て本体２４の長穴３４を常に塞いでおくことができる。
【００３４】
(4).前後位置保持手段及び前後スライド抵抗付与手段
既述のとおり、肘当て本体２４は上に開口しており、例えば図８，９に示すように、肘当て本体２４の内部に平面視小判形のスライド補助体３７が配置されている。スライド補助体３７はボス体３３に嵌まっているので、肘当て本体２４は、スライド補助体３７にガイドされてその長手方向にスライドする。また、スライド補助体３７と肘当て本体２４とは、一緒に水平旋回する。従って、スライド補助体３７と肘当て本体２４とは、相対回動は不能で相対スライドは自在な関係になっている。
【００３５】
図８，９に示すように（図１１も参照）、スライド補助体３７の左右長手側面部には、その前後中途部に切欠き５３が形成されており、切欠き５３に、平面視Ｌ形の係合爪５４を設けている。係合爪５４の先端（自由端）には、肘当て本体２４における凹所の内面に向けて突出した係合突起５５を形成している。他方、肘当て本体２４における凹所の左右内側面には、係合突起５５が当接する平面視凹凸形の係合受け部５６が、肘当て本体２４の長手方向に沿って長く形成されている。
【００３６】
係合突起５５は、係合爪５４の弾性変形により、係合受け部５６の凹所に係脱するが、係合受け部５６のピッチは細かいため、肘当て９の前後位置（正確には長手方向の位置）を、殆ど無段階的に調節できる。なお、係合突起５５が係合受け部５６の凹所に嵌まった状態で、係合突起５５は弾性変形していてもよいし、弾性変形していなくてもよい（係合受け部５６の突起を乗り越えるときに弾性変形したら足りる。）。
【００３７】
肘当て９の前後位置を所望の位置に保持するためだけなら、係合爪５４と係合受け部５６とからなる係合手段だけで足りるが、本実施形態では、肘当て９の前後スライドに軽い抵抗を付与するダンパ手段として、図９に明示するように、スライド補助体３７と肘当て本体２４との間に複数個（４個）の弾性体５７を配置している。
【００３８】
弾性体５７は、ゴム系又はエラストマー系の弾性素材からなっており、実施形態では円柱状に形成されていて、その軸心を左右水平にした姿勢で、スライド補助体３７の下面に形成された保持穴５８に嵌め入れられている。従って、肘当て本体２４の前後スライドに伴って転動可能である（但し、転動しなくてもよい。）。また、肘当て本体２４における凹所の底面には、弾性体５７を横ずれ不能に案内する左右一対ずつのガイドリブ５９が形成されている。
【００３９】
既述のとおり、スライド補助体３７は押さえ部材４１によって下向きに押されており、弾性体５７は軽く変形した状態になっている。従って、肘当て９を（肘当て本体２４を）前後スライドさせると、弾性体５７の弾性復元力が、肘当て９の前後動に対して軽い抵抗となって現れる。また、肘当て９のガタ付きも生じない。このため、肘当て９のスライドにしっとりとした動きが付与されて、高級感を醸し出すことができる。
【００４０】
実施形態では弾性体５７をスライド補助体３７の下面に配置したが、弾性体（ダンパ部材）５７は、スライド補助体３７の側面に配置してもよい。また、肘当て本体２４のうち弾性体５７が当接（転動）する部位に、細かいピッチの凹凸（鋸歯状の凹凸や波形の凹凸、ローレット状の粗雑面など，）を形成することも可能である。この場合は、弾性体５７の滑りが無くなるため、しっとりとした感じの動きをより確実化することができる。
【００４１】
(5).平面視姿勢保持手段
肘当て９を水平旋回可能に構成すると、所望の姿勢に保持できるようにする必要がある。そこで、肘当て９の平面視姿勢保持手段を設けている。この点を、主として図９，１０を参照して説明する。既述のとおり、スライド補助体３７の凹所３８に姿勢保持体３９が上から嵌め入れられていて、姿勢保持体３９には、押さえ部材４１の筒部が上から嵌まる中心穴４０が空いている。
【００４２】
そして、姿勢保持体３９には、中心穴４０に向けて幅狭となるように三角形状（或いは台形状）に形成された前後の弾性体収容凹所６２と、弾性体収容凹所６２と中心穴４０とに連通した前後のくびれ状連通部６３とが上向きに開口するように形成されており、弾性体収容凹所６２にゴム等の弾性体６４を嵌め入れ、くびれ状連通部６３に、樹脂又は金属からなる平面視小判形の係合体６５を嵌め入れている。
【００４３】
他方、押さえ部材４１における筒状部の外周面には、係合体６５が弾性的に当接する一対のラック状の凹凸部６６を形成しており、係合体６５が凹凸部６６の１つの溝に嵌まることにより、肘当て９の水平姿勢が一体に保持される。肘当て９に対してある程度の水平旋回力を付与すると、係合体６５を凹凸部６６の溝から離脱させて、肘当て９を任意の姿勢に旋回させることができる。図１０（Ｂ）に示すように、姿勢保持体３９は、凹凸部６６を設けている範囲で水平旋回するが、最大旋回角度θは９０度程度になっている。
【００４４】
(6).肘当ての旋回角度規制手段
既述のとおり、肘当て９は９０度程度の角度範囲で水平旋回させることができるが、本実施形態では、肘当て９の旋回角度規制機能は、押さえ部材４１とスライド補助体３７とが担っている。この点を、図６及び図１１を参照して説明する。
【００４５】
図６に示すように、押さえ部材４１のフランジ４２はスライド補助体３７の凹所３８の内部に入り込んでいる。そして、図１１に明示するように、スライド補助体３７の凹所３８は平行な左右の長手側面３８ａを有しているが、押さえ部材４１のフランジ４２に、凹所３８の長手側面３８ａが当接する一対のストッパー部６７を形成している。
【００４６】
ストッパー部６７は直交した２つの当接面６７ａ，６７ｂを持っているので、図１１のとおり、スライド補助体３７を左に旋回させきった状態でも、右に旋回させきった状態でも、凹所３８の左右の長手側面３８ａがストッパー部６７に当接する。
【００４７】
(7).第２実施形態
次に、図１２，１３に示す第２実施形態を説明する。この実施形態も、基本的な構成要素は第１実施形態と同じであり、肘当て本体２４とスライド補助体３７と姿勢保持体３９と押さえ部材４１とを備えている。第１実施形態と共通した要素は同じ符号を使用して、必要がない限り説明は省略する。
【００４８】
この実施形態では、肘当て９の前後スライドに抵抗を付与する手段として、左右の弾性体５７を使用している。弾性体５７は、スライド補助体３７に下向き突設されたポケット部７０に装着されている。すなわち、ポケット部７０は底板を有して、上方と左右外側とに開口した状態に形成されており、弾性体５７を、軸線を鉛直姿勢にした姿勢でポケット部７０に上から嵌め入れている。なお、弾性体５７は左右に複数個配置してもよい。
【００４９】
そして、図１３に示すように、肘当て本体２４に、弾性体５７に左右外側から当接する前後長手のレール部７１を上向きに突設している。なお、図１２のうち（Ａ）では、レール部７１は表示していない。
【００５０】
本実施形態では、肘当て９の前後位置保持手段としで、図面では明確に表示していないが、レール部７１の外面に、第１実施形態の係合受け部５６と同じ形態の平面視凹凸状の係合受け部５６を形成している一方、図１２（Ｄ）に明示するように、スライド補助体３７に、レール部７１の外側に位置する弾性係合体７２を下向きに突設して、弾性係合体７２を係合受け部５６に係合させている。従って、本実施形態では、レール部７１は、位置保持のための係合手段と、肘当て９の前後スライドに抵抗を付与する手段との両方を兼用している。
【００５１】
本実施形態では、弾性体５７が肘当て本体２４のレール部７１に横から当接しているため、スライド補助体３７の上下寸法誤差やビス４３の締め付けのバラ付きがあっても、バラツキに影響されることなく、肘当て９の前後スライドに対して一定の抵抗を付与できる利点がある。
【００５２】
本実施形態では、肘当て９の水平姿勢保持手段として、スライド補助体３７の一部に外向きの係合部７３を形成する一方、スライド補助体３７に、係合部７３が嵌脱する凹凸部６６を周方向に広がるように形成している。係合部７３は弓形の抜き穴を介して帯状に形成された樹脂ばね方式であり、肘当て９の回転に伴い、帯状部が撓み変形して凹凸部６６に係脱する。
【００５３】
また、この実施形態では、肘当て９の旋回角度規制手段としては、姿勢保持体３９に、係合部７３と反対側に突出したストッパー部６７を形成して、このストッパー部６７を、スライド補助体３７の長手側面３８ａに当てている。従って、押さえ部材４１は、単なる平板（ワッシャー）になっている。
【００５４】
(8).第３実施形態
図１４では、第２実施形態の変形例である第３実施形態を表示している。この第３実施形態は、前後位置保持手段と、前後スライド抵抗付与手段、及び旋回角度規制手段は第２実施形態と同じであり、第２実施形態と相違するのは、平面視姿勢保持手段の構造と旋回抵抗付与手段の点である。
【００５５】
まず、平面視姿勢保持手段について述べると、第２実施形態と同様に、スライド補助体３７に形成された凹所３８の内周のうち前面に凹凸部６６を形成している一方、姿勢保持体３９に、凹凸部６６に係合する下向きの係合部７４を形成している。
【００５６】
係合部７４は、姿勢保持体３９の前部を平面視山形に形成して、下面に溝を形成することによって変形可能になっている。従って、係合部７４は、姿勢保持体３９の厚さのうち全体ではなく、略下半部に位置している。そこで、スライド補助体３７の凹凸部６６を、凹所３８の内周のうち略下半部に形成することにより、係合部７４の変形を許容している。
【００５７】
次に、本実施形態の特徴であるが、旋回抵抗付与手段として、姿勢保持体３９のうち係合部７４と反対側のエリアを回転軸心から当距離の円弧面３９ａに形成する一方、スライド補助体３７のうち凹凸部６６と反対側の部位に、凹所３８と連通した横溝穴７５を形成して、この横溝穴７５に円柱状の弾性体７６を嵌め込み装着し、弾性体７６を姿勢保持体３９の円弧面３９ａに弾性的に当てている。
【００５８】
従って、肘当て９の水平旋回に対しては、弾性体７６の弾性復元力が抵抗として作用しており、この抵抗により、肘当て９の旋回に対してしっとりとした動きを付与できる。実施形態では、弾性体７６は軸心を鉛直姿勢にした円柱状になっているため、肘当て９の旋回において弾性体７６が転動可能である。従って、肘当て９は、適度の抵抗が付与された状態でスムースに旋回させることができる。
【００５９】
姿勢保持体３９の円弧面３９ａを、平面視で細かいピッチの凹凸状に形成したり、斜め格子状のローレット状に形成するなどして、一種の粗雑面に形成しておくと、弾性体７６が滑ることがないため、長期に亙って安定した抵抗を付与することができる。
【００６０】
(9).その他
本願発明は、他にも様々に具体化できる。例えば、実施形態の肘掛け装置は肘当てを高さ調節できるようになっているが、肘当ては水平動のみして高さは固定されていてもよい。従って、肘支柱は棒状の形態である必要はなく、水平状に長い姿勢であってもよい（肘支柱とベースとが一体化していてもよい。）。
【００６１】
また、本願発明では、肘当ての水平動には左右スライドも含んでいる。従って、左右スライドに弾性体で抵抗を付与することも可能である。弾性体の数や配置位置は、必要に応じて任意に設定できる。弾性体をボール状に形成することも可能である。
【産業上の利用可能性】
【００６２】
本願発明は、実際に肘掛け装置に具体化できる。従って、産業上利用できる。
【符号の説明】
【００６３】
７  可動肘支柱７
８  ベース
２４  肘当て本体
２５  肘当て上部材
３３  ボス体
３４  肘当て本体の長穴
３７  スライド補助体
３９  姿勢保持体
４１  押さえ部材
５４  肘当ての前後位置保持手段を構成する係合爪
５６  肘当ての前後位置保持手段を構成する係合受け部
５７  肘当ての前後スライドに抵抗を付与する弾性体
５８  保持穴
５９  ガイドリブ
【図１】
2019042108.tif 000003
【図２】
2019042108.tif 000004
【図３】
2019042108.tif 000005
【図４】
2019042108.tif 000006
【図５】
2019042108.tif 000007
【図６】
2019042108.tif 000008
【図７】
2019042108.tif 000009
【図８】
2019042108.tif 000010
【図９】
2019042108.tif 000011
【図１０】
2019042108.tif 000012
【図１１】
2019042108.tif 000013
【図１２】
2019042108.tif 000014
【図１３】
2019042108.tif 000015
【図１４】
2019042108.tif 000016